(57)【要約】【課題】ユニバーサルシリアルバスコネクタを有するメモリ機器を用いる場合、バスが塞がってしまい利便性が損なわれることを解決する。【解決手段】  機器はユニバーサルシリアルバスコネクタを有するメモリ機器であって、ユニバーサルシリアルバスコネクタのオスコネクタ、メスコネクタ、ブリッジデバイス及びデータを格納するメモリを含み、該メモリ機器のオスコネクタがパソコン等の機器に接続されて用いられ、該メモリ機器のオスコネクタからの信号配線はブリッジデバイスを介して分岐してメスコネクタ及びメモリに接続され、該メモリ機器は外部メモリとして機能し同時にユニバーサルシリアルバスの接続口として機能するようにする。【選択図】図１
2018041427.tif 000002
【特許請求の範囲】
【請求項１】
ユニバーサルシリアルバスコネクタを有するメモリ機器であって、
該機器はユニバーサルシリアルバスコネクタのオスコネクタ、メスコネクタ、ブリッジデバイス及びデータを格納するメモリを含み、
該メモリ機器のオスコネクタがパソコン等の機器に接続されて用いられ、
該メモリ機器のオスコネクタからの信号配線はブリッジデバイスを介して分岐してメスコネクタ及びメモリに接続され、
該メモリ機器は外部メモリとして機能し同時にユニバーサルシリアルバスの接続口として機能することを特徴とする、
ユニバーサルシリアルバスコネクタを有するメモリ機器。
【請求項２】
該メスコネクタは、オスコネクタ及びデータを格納するメモリを収納する本体と可動できるように接続されてなり、
二次接続の方向を調整できることを特徴とする、
請求項１記載のユニバーサルシリアルバスコネクタを有するメモリ機器。
【請求項３】
データを格納するメモリを収納する部分は独自にユニバーサルシリアルバスコネクタのオスコネクタを備え、
該二次接続の方向を調整できるメスコネクタを備える本体部分はさらに別にメスコネクタを有し、
該データを格納するメモリを収納する部分は着脱可能であることを特徴とする、
請求項２記載のユニバーサルシリアルバスコネクタを有するメモリ機器。
【請求項４】
該オスコネクタ及びメスコネクタは、ＵＳＢ−Ａ、ＵＳＢ−Ｂ、ＵＳＢミニＡ、ＵＳＢミニＢ、ＵＳＢ−Ｃ、の何れかの形状であることを特徴とする、
請求項１乃至３の何れか一に記載のユニバーサルシリアルバスコネクタを有するメモリ機器。
【請求項５】
該オスコネクタ及びメスコネクタは、異なった形状であることを特徴とする、
請求項４記載のユニバーサルシリアルバスコネクタを有するメモリ機器。
【発明の詳細な説明】
【技術分野】
【０００１】  本発明はユニバーサルシリアルバスコネクタを有するメモリ機器に関するものである。
【背景技術】
【０００２】  ユニバーサルシリアルバスコネクタを有するメモリ機器（一般にＵＳＢメモリと呼ばれており、以下かかる呼称をも用いる）は、手軽にパーソナルコンピュータ（以下、パソコンと呼ぶ）等の機器からデータをコピーして運搬し、他の機器等に於いて用いるのに便利であり、非常に多く普及している。
【先行技術文献】
【特許文献】
【０００３】
【特許文献１】実用新案登録第３０９０５３８号公報
【特許文献２】特開２０１２−１４２２８１号公報
【特許文献３】特表２００３−５０４７５８号公報
【発明の概要】
【発明が解決しようとする課題】
【０００４】  しかしながら、既存のＵＳＢメモリはユニバーサルシリアルバスコネクタのオスコネクタとメモリで構成されており、例えばこれをパソコンのＵＳＢポートに挿入して利用している間はそのＵＳＢポートが塞がってしまい、利便性が損なわれていた。【０００５】  このため、ＵＳＢポートを増加させるための１対多の接続が可能なＵＳＢハブなどの機器が開発され、利用されている。（特許文献１乃至３参照）
【課題を解決するための手段】
【０００６】  本発明は、ユニバーサルシリアルバスコネクタを有するメモリ機器であって、ユニバーサルシリアルバスコネクタのオスコネクタ、メスコネクタ、ブリッジデバイス及びデータを格納するメモリを含み、該メモリ機器のオスコネクタがパソコン等の機器に接続されて用いられ、該メモリ機器のオスコネクタからの信号配線はブリッジデバイスを介して分岐してメスコネクタ及びメモリに接続され、該メモリ機器は外部メモリとして機能し同時にユニバーサルシリアルバスの接続口として機能するようにしたものである。【０００７】  また本発明は、該メスコネクタは、データを格納するメモリを収納する本体と可動できるように接続されてなり、二次接続の方向を調整できることを特徴とする。【０００８】  また本発明は、データを格納するメモリを収納する部分は独自にユニバーサルシリアルバスコネクタのオスコネクタを備え、該二次接続の方向を調整できるメスコネクタを備える本体部分はさらに別にメスコネクタを有し、該データを格納するメモリを収納する部分は着脱可能であることを特徴とする。
【発明の効果】
【０００９】  本発明に係るユニバーサルシリアルバスコネクタを有するメモリ機器は、簡便な構成で使用中であってもＵＳＢポートを塞ぐことなく論理的トポロジーに影響を与えずに利便性が確保されたＵＳＢメモリを実現することができ、パソコン機器の利便性向上に寄与することが出来る。
【図面の簡単な説明】
【００１０】
【図１】図１は、本発明に係るユニバーサルシリアルバスコネクタを有するメモリ機器の接続の概念図である。
【図２】図２は、本発明に係るユニバーサルシリアルバスコネクタを有するメモリ機器の他の例を示す概念図である。
【発明を実施するための形態】
【００１１】  以下、本発明に係るユニバーサルシリアルバスコネクタを有するメモリ機器を、図面を用いて説明する。
【実施例１】
【００１２】  図１は、本発明に係るユニバーサルシリアルバスコネクタを有するメモリ機器の接続の概念図である。本発明は、本発明は、ユニバーサルシリアルバスコネクタを有するメモリ機器であって、ユニバーサルシリアルバスコネクタのオスコネクタ、メスコネクタ、ブリッジデバイス（ハブともいう）及びデータを格納するメモリを含み、該メモリ機器のオスコネクタがパソコン等の機器に接続されて用いられ、該メモリ機器のオスコネクタからの信号配線はブリッジデバイスを介して分岐してメスコネクタ及びメモリに接続され、該メモリ機器は外部メモリとして機能し同時にユニバーサルシリアルバスの接続口として機能するようにしたものである。【００１３】  メモリ機器本体は、オスコネクタ１、メモリ部品３及びメスコネクタ２が、ブリッジデバイス４を介して分岐してそれぞれ接続されて構成されている。ここで、本実施例に於いてはオスコネクタ１及びメスコネクタ２はＵＳＢ−Ａタイプを用いたが、それぞれＵＳＢ−Ａ、ＵＳＢ−Ｂ、ＵＳＢミニＡ、ＵＳＢミニＢ、ＵＳＢ−Ｃ、のいずれを用いても良い。また、オスコネクタ１及びメスコネクタ２は異なった形状のものでも良い。【００１４】  かかる構成を取ることにより、該メモリ機器は外部メモリとして機能し、同時に論理的トポロジーに影響を与えずにユニバーサルシリアルバスの接続口として機能するようになり、利便性が向上した。【００１５】  なお、本実施例の場合、一般的なＵＳＢメモリの尾部にＵＳＢメスコネクタが装備された形状となった。
【実施例２】
【００１６】  本実施例に於いては、該メスコネクタは、データを格納するメモリを収納する本体と可動できるように可動部６を介して接続されてなり、二次接続の方向を調整できるようにした。これにより、ＵＳＢメスコネクタの方位を変えることができ、例えばかかる接続部だけを上方に立てて接続することもでき、自由度が向上する。【００１７】  また本実施例に於いては、データを格納するメモリを収納する部分は着脱可能に構成されている。かかる構成とすることにより、メモリ部分を取り外して用いている場合にもＵＳＢメスコネクタの方位を変えることができ、例えばかかる接続部だけを上方に立てて接続することもできる。【００１８】  以上述べてきたように、本発明に係るユニバーサルシリアルバスコネクタを有するメモリ機器は、簡便な構成で使用中であってもＵＳＢポートを塞ぐことなく論理的トポロジーに影響を与えずに利便性が確保されたＵＳＢメモリを実現することができ、パソコン機器の利便性向上に寄与することが出来た。
【産業上の利用可能性】
【００１９】  本発明に係るユニバーサルシリアルバスコネクタを有するメモリ機器は、簡便な構成で使用中であってもＵＳＢポートを塞ぐことなく論理的トポロジーに影響を与えずに利便性が確保されたＵＳＢメモリを実現することができ、パソコン機器の利便性向上に寄与することが出来、以って産業上の利用可能性は大であるといえる。
【符号の説明】
【００２０】１  メモリ機器のオスコネクタ
２  メモリ機器のメスコネクタ
３  メモリ
４  ブリッジデバイス
５  可動部
【図１】
2018041427.tif 000003
【図２】
2018041427.tif 000004